(57)【要約】  【課題】  目的とする塗布箇所以外の部分にマスカラ液が付着することを防止し、使用者が安定した状態でかつ快適にマスカラ液を塗布することができるマスカラ容器を提供すること。  【解決手段】  ２本の棒状化粧用具２１、２２を、一時的固定手段を備えた回転部を有する連結部材２３で連結する。一時的固定手段はクリックストップ機構でもよいし、摩擦等により回転がやや硬くなっており、任意の角度でそのまま固定されるような機構でもよい。両棒状化粧用具２１、２２をＬ字状に開いた状態で一時固定することにより、微妙な化粧操作が容易となる。棒状化粧用具としてはマスカラの他、アイライナー、アイシャドウ等でもよい。【選択図】  図６
2006000306.tif 000002
【特許請求の範囲】
【請求項１】
２本の棒状化粧用具を、一時的固定手段を備えた回転部を有する連結部材で連結したことを特徴とする化粧用具。
【請求項２】
上記連結部材がクリックストップ機構を備えたものであることを特徴とする請求項１に記載の化粧用具。
【請求項３】
上記クリックストップ機構が、両棒状化粧用具が９０°から１３５°の間の所定角度でストップするようになっていることを特徴とする請求項２に記載の化粧用具。
【発明の詳細な説明】
【技術分野】
【０００１】
本発明は、マスカラやアイライナー、アイシャドウ等の棒状の化粧用具に関する。
【背景技術】
【０００２】
従来のマスカラ容器１０は、図１に示すように、ブラシ１１が設けられた蓋体１２とマスカラ液を収容する容器本体１３とから成り、概して棒状の形態を有する。蓋体１２には、先端にブラシ１１が植設された細いブラシ軸１４が固定され、蓋体１２を容器本体１３に被せる（通常、ねじにより締め込んでゆく）と、ブラシ１１は容器本体１３内に深く収納され、マスカラ液１５中に浸漬される。容器本体１３の口には、内部に向けて突出するブーツ１６が設けられており、蓋体１２を持ってブラシ１１を引き出す際には、このブーツ１６がブラシ１１から過剰なマスカラ液を除去し、適度な量のマスカラ液がブラシ１１に付着するようになっている。
【０００３】
このような従来のマスカラ容器１０により使用者がマスカラ液を睫毛（まつげ）に塗布する際には、蓋体１２を指で掴んで容器本体１３から抜き出し、適度のマスカラ液が付着したブラシ１１を目的とする箇所に当て、蓋体１２を動かすことにより、ブラシ１１が当該塗布目的箇所に沿って上下・左右するようにしていた。
【０００４】
【特許文献１】実開昭６０−４４７１３号公報
【特許文献２】実開昭６０−４４７１４号公報
【発明の開示】
【発明が解決しようとする課題】
【０００５】
上記のように、従来のマスカラ容器１０では、ブラシ１１を使用しない時にはブラシ１１及びブラシ軸１４はマスカラ液１５が収容された容器本体１３内に収納されている。このため、ブラシ１１を容器本体１３から抜き出す際には、ブラシ軸１４にはブラシ１１と同様にマスカラ液が付着しており、このブラシ軸１４に付着したマスカラ液は、ブラシ１１のようにはブーツ１６によって除去されることなく、ブラシ軸１４に厚く付着したまま引き出される。従って、使用者がブラシ１１を利き手側の塗布箇所へ当てる際にはブラシ軸１４に付着したマスカラ液が髪の毛に付着したり、その反対側へ塗布する際には鼻に付着する等の不具合が発生していた。
【０００６】
また、使用者は、通常、利き手にマスカラのブラシ（蓋体）を持ち、他方の手に鏡を持ってマスカラ液を塗布するが、利き手の反対側の目の睫毛にマスカラ液を塗布する場合には、利き手側の目の視界が蓋体を持つ手により遮られて鏡が見えにくいという問題がある。
【０００７】
使用者によっては、これらの場合、ブラシ（蓋体）を利き手でない方の手に持ち替える等して、塗布目的箇所以外にマスカラ液が付着することを防止したり、持ち手が視界を遮らないようにしていた。しかし、利き手ではない側の手を使うため、微妙なブラシ操作が困難であった。
【０００８】
さらに、通常、睫毛へのマスカラ液の塗布は、ブラシ及びブラシ軸が水平になるようにして行うが、従来のマスカラ容器ではブラシ軸が蓋体から真っ直ぐに突出していたため、このような場合、蓋体を持つ手の肘を上げざるを得ない。しかし、このような肘を上げた腕の姿勢は不安定であり、やはり微妙にブラシを動かすことが難しく、所期通りのマスカラ液塗布が困難であった。
【０００９】
本発明が解決しようとする課題は、塗布箇所以外の部分へマスカラ液が付着することを防止し、使用者が安定した状態でかつ快適にマスカラ液を塗布することができるマスカラ容器を提供しようとするものである。
【課題を解決するための手段及び効果】
【００１０】
上記課題を解決するために成された本発明に係る化粧用具は、２本の棒状化粧用具を、一時的固定手段を備えた回転部を有する連結部材で連結したことを特徴とする。
【００１１】
ここで言う一時的固定手段とは、両棒状化粧用具を所定の回転角度において一時的に固定することができるようにするための手段であり、例えば、いわゆるクリックストップと呼ばれる機構でもよいし、或いは、摩擦等により回転がやや硬くなっており、任意の角度でそのまま固定されるような機構でもよい。
【００１２】
棒状化粧用具としては、上記のようなマスカラの他、アイライナー、アイシャドウ等の化粧用具でもよい。これらの同種のもの（例えば、硬さの異なるマスカラ、或いは色違いのアイシャドー等）を組み合わせてもよいし、異種のもの（例えば、マスカラとアイライナー、或いはアイライナーとアイシャドウ等）を組み合わせてもよい。
【００１３】
棒状の化粧用具と連結部材は完全に固定しておいてもよいが、取り付け・取り外し可能としておいてもよい。後者の場合には、使用者が任意の２本の化粧用具を組み合わせて連結することができる。
【００１４】
クリックストップにより一時固定する機構を用いる場合、ストップ角度としては、ゼロ、すなわち両棒状化粧用具を完全に折り畳んだ状態の他に、９０°から１３５°の間の角度、すなわち略「Ｌ」字形にする状態を含めておくことが望ましい。これにより、使用者が利き手側の箇所に化粧用具を使用する際、肘を上げることなく脇を締めた状態で操作を行うことができるようになり、微妙な化粧が可能となる。また、例えばマスカラの場合には、マスカラ液が余計な箇所に付着する等の不具合が防止される。
【００１５】
更に、１８０°、すなわち２本の棒状化粧用具が一直線状になるような状態を含めておいてもよい。バッグや引き出し等の収納先によっては、このような状態の方が都合が良い場合があるためである。
【００１６】
なお、特許文献１及び特許文献２には、２本の棒状の化粧用具を連結したものが記載されているが、これらはいずれも０°か１８０°のいずれかの状態しか取り得ないようになっており、本発明とは、その目的、構造及び効果において全く異なるものである。
【発明を実施するための最良の形態】
【００１７】
本発明の一実施例として、タイプの異なる２種のマスカラ（例えば、透明タイプとカールタイプ）を連結したダブルマスカラを図２〜図５により説明する。図２に示すように、本実施例のダブルマスカラ２０は、第１のタイプのマスカラ２１と第２のタイプのマスカラ２２を連結部材２３により連結したものである。各マスカラ２１、２２は同一の容器を使用しており、容器自体は図１に示した従来のものと同様の構造を有している。各マスカラ容器２１、２２と連結部材２３との固定は、外すことができない完全固定としてもよいし、図３に示すようにネジ等により取り付け・取り外し可能な固定としてもよい。
【００１８】
連結部材２３は図４に示すように、２枚の側板３１、３２と、両側板３１、３２の間に固定された２つの連結具３３、３４から構成される。本実施例では、一方の連結具３３は両側板３１、３２に固定され、他方の連結具３４は両側板３１、３２に対して軸３５により回転可能となっている。この回転可能な方の連結具３４は、その回転途中の所定位置においてクリックストップするように、側板３１、３２の内側に突起３６が、連結具側にそれに対応する凹部３７が設けられている。もちろん、これら突起・凹部起の取り付け側は逆でも構わない。また、連結部材２３の機構は図４に示すようなものに限られず、例えば双方の連結具３３、３４を回転可能且つクリックストップ可能としてもよいし、側板が折れ曲がるようにしてもよい。
【００１９】
本実施例のダブルマスカラは、ハンドバッグ等に収納しておくときには図２(a)に示すように両マスカラ容器２１、２２は０°に折り畳まれ、コンパクトになる。
【００２０】
これを使用する際には、図５に示すように両マスカラ容器２１、２２を開き、クリックストップの位置で両者２１、２２の角度を固定する。そして、使用したい方のマスカラの容器本体２１ｂを連結部材２３に固定された蓋体２１ａから取り外す。これにより、図６に示すようにブラシ２１ｃが現れ、他方のマスカラ容器２２が把手となって全体としてＬ字形のマスカラユニットが形成される。使用者はこの他方のマスカラ容器２２を指で持ち、脇を締めた状態で確実にブラシ２１ｃを操作することができる。具体的には、例えば目尻と目頭の方を塗るときには、ブラシ２１ｃの先端で塗るのが好ましいが、本実施例により構成されるＬ字形マスカラユニットでは、指で回すことによりそのままの状態でブラシ先端を微妙に動かすことができる。
【００２１】
また、他者（被適用者）に化粧を施す例えばメークアーティスト等の使用者が本Ｌ字形マスカラユニットを使用する場合も、使用者は真正面から手をさしのべることができるため、本人が使用する場合と同様、肘を上げることなく脇を締めた状態で操作を行うことができ、安定した状態でかつ快適にマスカラ液を塗布することができる。また、被適用者にとっても、使用者の手が自分の顔に近づきすぎることがないため、リラックスして施術を受けることができる。
【図面の簡単な説明】
【００２２】
【図１】従来のマスカラ容器の構造を示す一部断面図。
【図２】本発明の一実施例であるダブルマスカラ容器の正面図(a)及び平面図(b)。
【図３】実施例のダブルマスカラ容器を構成する一つのマスカラ容器と連結部材の構造を示す分解図。
【図４】実施例のダブルマスカラ容器の連結部材の構造を示す平面図。
【図５】実施例のダブルマスカラ容器の開脚状態を示す正面図。
【図６】実施例のダブルマスカラ容器の使用状態を示す正面図。
【符号の説明】
【００２３】
１０…マスカラ容器
１１…ブラシ
１２…蓋体
１３…容器本体
１４…ブラシ軸
１５…マスカラ液
１６…ブーツ
２０…ダブルマスカラ容器
２１、２２…マスカラ容器
２１ａ…蓋体
２１ｂ…容器本体
２１ｃ…ブラシ
２３…連結部材
３１、３２…側板
３３、３４…連結具
３５…回転軸
３６…突起
３７…凹部
【図１】
2006000306.tif 000003
【図２】
2006000306.tif 000004
【図３】
2006000306.tif 000005
【図４】
2006000306.tif 000006
【図５】
2006000306.tif 000007
【図６】
2006000306.tif 000008